(57)【要約】【課題】理美容におけるカット、整髪等についての基本技術を、現実に即した環境での習得が可能な練習具を提供する。【解決手段】練習具Ｔは、肩部１、４の中心線Ｃ上で前後面に接合・分離可能とし、前面に肩部１、脇腹部２と一体的に連設される胸部と、後面に肩部４、脇腹部５と一体的に連設される背部６とで構成される人体の上半身模型Ｂと、上半身模型Ｂ内に着脱自在に装着され、頂部は開口すると共に、該頂部から下方に複数の割溝９ａ、９ｂ、９ｃ、９ｄを形成した円錐状筒体９を立設してなるジョイント基板８と、上半身模型Ｂの固定と円錐状筒体９に嵌着される複数本の輪ゴム１０、１１、１２、１３及び１７、１８とからなる。【選択図】図１
2008006240.tif 000002
【特許請求の範囲】
【請求項１】
理美容師又は見習い等による技術習得、特にロングヘアーのカット、整髪等の練習に使用される理美容練習具であって、
肩部の中心線上で前後面に接合・分離可能とし、前面に肩部、脇腹部と一体的に連設される胸部と、後面に肩部、脇腹部と一体的に連設される背部とで構成される、頸部を除く、人体の上半身模型と、
前記上半身模型内に着脱自在に装着され、頂部は開口すると共に、当該頂部から下方に複数の割溝を形成した円錐状筒体を立設してなるジョイント基板と、
前記上半身模型の固定と円錐状筒体に嵌着される複数本の輪ゴムと、
からなることを特徴とする、理美容練習具。
【請求項２】
前記接合された上半身模型の肩部中央には、ウイッグの頸部を挿入するための開口部を形成し、かつ上半身模型の胸部と背部からなる前後面の接合部には、接合ピンと接合孔とが複数形成されていることを特徴とする、請求項１記載の理美容練習具。
【請求項３】
前記上半身模型の肩部と脇腹部の両側内壁には、複数の係止部が形成されていることを特徴とする、請求項１〜請求項２の何れかに記載の理美容練習具。
【請求項４】
前記胸部と背部の上方内壁には、前記ジョイント基板を固定するための水平状固定溝が形成されていることを特徴とする、請求項１〜請求項３の何れかに記載の理美容練習具。
【請求項５】
前記開口部の形状が円形又は楕円形状とし、該開口部の最大直径が、約１２０ｍｍ〜１６０ｍｍであることを特徴とする、請求項１〜請求項４の何れかに記載の理美容練習具。
【請求項６】
前記接合された上半身模型の底部は、全面的に開口されていることを特徴とする、請求項１〜請求項５の何れかに記載の理美容練習具。
【請求項７】
前記上半身模型が、熱可塑性樹脂で一体成型されていることを特徴とする、請求項１〜請求項６の何れかに記載の理美容練習具。
【請求項８】
前記固定溝に嵌合されるジョイント基板の当接面には、複数の切欠部が形成されると共に、当該切欠部には輪ゴムが掛止されていることを特徴とする、請求項１〜請求項７の何れかに記載の理美容練習具。
【請求項９】
前記ジョイント基板に立設された円錐状筒体の割溝は、深浅２種からなり、深割溝どうし及び浅割溝どうしは隣接されると共に、深割溝どうし及び浅割溝どうし間には１〜複数の輪ゴムが嵌着されていることを特徴とする、請求項１〜請求項８の何れかに記載の理美容練習具。
【請求項１０】
前記円錐状筒体は、少なくともウイッグの嵌合孔に嵌合可能な外径であると共に、ウイッグ取付具の支持ヘッドが挿着可能な内径とされていることを特徴とする、請求項１〜請求項９の何れかに記載の理美容練習具。
【請求項１１】
前記上半身模型の肩部と脇腹部の両側内壁に設けられた係止部は、複数の輪ゴムで固定されることを特徴とする、請求項１〜請求項１０の何れかに記載の理美容練習具。
【発明の詳細な説明】
【技術分野】
【０００１】  本発明は、理美容練習具に係り、より詳しくは、理美容師又は見習い等による技術習得、特にロングヘアーのカット、整髪等の練習に使用される理美容練習具に関する。
【背景技術】
【０００２】  従来より、理美容業界における基本技術であるヘアーカット、整髪等の技術習得には、人体の首及びヘアー付き頭部を模した人形、いわゆるウイッグを、支持ヘッド、万力及び締付ハンドル等からなる取付具に装着して行われている。しかし、ウイッグ使用によるショートスタイルのヘアカット等には問題ないが、ロングスタイル及びミディアムスタイルのヘアカット、グラデーション、ブラッシング等を実習するに際しては、ウイッグのみでは、人体の肩部、背部、胸部がない状態でのヘアーカット、整髪等の練習は、実情から離れた状態であるため、そのイメージを把握するのが困難である。この不具合を解決するための一方法として、ロングヘアーの一般人をインターネット等を介して募集し、相応の対価を支払って練習用のモデルになってもらい、各種のトレーニングを行う理美容院等も存在している。【０００３】  理美容における現実に即した練習を可能にすることを目的として、例えば特開２００２−３４５５５２、特開平９−１６８４２３等が開示されている。特開２００２−３４５５５２の「理美容練習エアボディ」は、塩化ビニール等からなる肩、背、女性の胸を有する上半身部の形状を持ち、空気出入口を設けてなることを特徴としている。また特開平９−１６８４２３の「理美容トレーニングボディ」は、ヘアーが植設された頭部の下方に肩や背を有する上半身部を配し、この上半身部及び前記頭部を支える取付金具を設けて、この取付金具にて椅子の背もたれやテーブルに取り付けるようにしている。
【特許文献１】特開２００２−３４５５２号公報
【特許文献２】特開平９−１６８４２３号公報
【発明の開示】
【発明が解決しようとする課題】
【０００４】  特許文献１の使用に際しては、なんらかの手段ないし方法でエアボディに、空気を送入しなければならないので、空気送入器具を用意しなければならないし、またその送入作業また排気作業が煩瑣であり、さらに理美容のカット作業等においては、実習者は常に、鋏、櫛及びレザー等の鋭利な器具を所持し、これを頻繁に動かすために、エアボディが破損する虞が十分にあり、作業環境上好ましくない。また特許文献２は、構成する部材の点数が多数であること、上半身部が回転不可能であることによる使用上の不便さ、また不使用時における収納性が悪い等の欠点が指摘されている。【０００５】  本発明が解決しようとする課題の１は、理美容におけるカット、整髪等についての基本技術を、現実に即した環境での習得が可能な練習具を提供することであり、課題の２は、ウイッグ、取付具及び上半身模型の三者を、簡便かつ安定的に固定する器具を提供することであり、課題の３は、不使用時には収納が容易であると共に、軽量かつ携行可能な理美容練習具を提供することにある。
【課題を解決するための手段】
【０００６】  本発明者は、従来技術が有する各種の諸問題に鑑み、上記、１〜３の課題を解決するために鋭意検討し、本発明を完成したものである。課題を解決するための手段は、本願、特許請求の範囲の各請求項に記載の発明であり、その具体的手段は、以下の通りである。【０００７】  課題を解決するための第１の発明は、請求項１に記載の発明であり、理美容師又は見習い等による技術習得、特にロングヘアーのカット、整髪等の練習に使用される理美容練習具であって、肩部の中心線上で前後面に接合・分離可能とし、前面に肩部、両脇腹部と一体的に連設される胸部と、後面に肩部、両脇腹部と一体的に連設される背部とで構成される、頸部を除く、人体の上半身模型と、前記上半身模型内に着脱自在に装着され、頂部は開口するとともに、当該頂部から下方に複数の割溝を形成した円錐状筒体を立設してなるジョイント基板と、前記上半身模型の固定と円錐状筒体に嵌着される複数本の輪ゴムと、からなることを特徴としている。【０００８】  課題を解決するための第２の発明は、請求項２に記載の発明であり、前記接合された上半身模型の肩部中央には、ウイッグの頸部を挿入するための開口部を形成し、かつ上半身模型の胸部と背部からなる前後面の接合部には、接合ピンと接合孔とが複数形成されていることを特徴としている。【０００９】  課題を解決するための第３の発明は、請求項３に記載の発明であり、前記上半身模型の肩部と脇腹部の両側内壁には、複数の係止部が形成されていることを特徴としている。【００１０】  課題を解決するための第４の発明は、請求項４に記載の発明であり、前記胸部と背部の上方内壁には、前記ジョイント基板を固定するための水平状固定溝が形成されていることを特徴としている。【００１１】  課題を解決するための第５の発明は、請求項５に記載の発明であり、前記開口部の形状が円形又は楕円形状とし、該開口部の最大直径が、約１２０ｍｍ〜１６０ｍｍであることを特徴としている。【００１２】  課題を解決するための第６の発明は、請求項６に記載の発明であり、前記接合された上半身模型の底部は、全面的に開口されていることを特徴としている。【００１３】  課題を解決するための第７の発明は、請求項７に記載の発明であり、前記上半身模型が、熱可塑性樹脂で一体成型されていることを特徴としている。【００１４】  課題を解決するための第８の発明は、請求項８に記載の発明であり、前記固定溝に嵌合されるジョイント基板の当接面には、複数の切欠部が形成されると共に、当該切欠部には輪ゴムが掛止されていることを特徴としている。【００１５】  課題を解決するための第９の発明は、請求項９に記載の発明であり、前記ジョイント基板に立設された円錐状筒体の割溝は、深浅２種からなり、深割溝どうし及び浅割溝どうしは隣接されると共に、深割溝どうし及び浅割溝どうし間には１〜複数の輪ゴムが嵌着されていることを特徴としている。【００１６】  課題を解決するための第１０の発明は、請求項１０に記載の発明であり、前記円錐状筒体は、少なくともウイッグの嵌合孔に嵌合可能な外径であると共に、ウイッグ取付具の支持ヘッドが挿着可能な内径とされていることを特徴としている。【００１７】  課題を解決するための第１１の発明は、請求項１１に記載の発明であり、前記上半身模型の肩部と脇腹部の両側内壁に設けられた係止部は、複数の輪ゴムで固定されることを特徴としている。
【発明の効果】
【００１８】  本発明に係る、理美容練習具は、上記の構成になるから以下の効果を奏する。即ち、第１〜第７の発明によれば、上半身模型は、肩部の中心線上で前後面に接合・分離可能で、前面に肩部、脇腹部と一体的に連設される胸部と、後面に肩部、脇腹部と一体的に連設される背部とで構成され、上半身模型内に着脱自在に装着され、頂部が開口されると共に、当該頂部から下方に、複数の割溝を形成した円錐状筒体を立設してなるジョイント基板と、複数本の輪ゴムとからなり、また上半身模型の肩部中央には、ウイッグの頸部を挿入するための開口部を形成し、かつ上半身模型の胸部と背部からなる前後面の接合部には、接合ピンと接合孔とが複数形成され、上半身模型の肩部と脇腹部の両側内壁には、複数の係止部が形成され、開口部の形状が円形又は楕円形状とし、該開口部の最大直径が、約１２０ｍｍ〜１６０ｍｍで、接合された上半身模型の底部は、全面的に開口され、上半身模型が、熱可塑性樹脂で一体成型されているので、現実の成人女性とほぼ同形状、同寸法とした上半身模型の中央にウイッグを装着することができ、これにより、本発明課題の１である、理美容におけるカット、整髪等についての基本技術を、現実に即した環境での習得が可能な、練習具を提供することができる。【００１９】  第６及び第８〜第１１の発明によれば、接合された上半身模型の底部は、全面的に開口され、固定溝に嵌合されるジョイント基板の当接面には、複数の切欠部が形成されると共に、当該切欠部には輪ゴムが掛止され、ジョイント基板の円錐状筒体の割溝は、深浅２種からなり、深割溝どうし及び浅割溝どうしは隣接されると共に、深割溝どうし及び浅割溝どうし間には１〜複数の輪ゴムが嵌着され、円錐状筒体は、少なくともウイッグの嵌合孔に嵌合可能な外径で、またウイッグ取付具の支持ヘッドが挿着可能な内径とされ、上半身模型の肩部と脇腹部の両側内壁に設けられた係止部は、複数の輪ゴムで固定されるので、ウイッグ、ウイッグ取付具及び上半身模型の三者は、ジョイント基板を介して簡便かつ安定的に固定することができるので、課題の２を解決することができる。さらに円錐状筒体には、複数の割溝が形成されると共に、当該割溝には輪ゴムが嵌着されるので、メーカーによって異なる、ウイッグ取付具の各種支持ヘッドの直径に適応できる、汎用性を有する。【００２０】  第１、第２、第５〜第７の発明によれば、上半身模型の各部材は、熱可塑性樹脂で一体成型してなり、上半身模型の肩部中央には開口部を形成し、また円錐状筒体の頂部は、開口されているので、市販品又はクリーニング店からサービス品として提供される、線条（針金）ハンガーのフック部を伸長し、これを円錐状筒体の開口に挿通した後、伸長部分を再度フック状に成形すれば、上半身模型は、スーツ、コート等を掛吊でき、ジョイント基板を装着しないときは、一般的なハンガーのフックを、上半身模型の底部開口から肩部中央の開口部から突出させて、通常のハンガーとして利用することができる。また、肩部、胸部、背部及びジョイント基板等の分離・接合は容易にでき、かつ軽量であるから、カット等の研修会、講習会等に練習具として簡便に携行することができる等の効果も併せ有する。
【発明を実施するための最良の形態】
【００２１】  以下、本発明の理美容練習具（以下、練習具Ｔという）に係る、最良の実施形態について、図面を参照して詳細に説明する。図１は、本発明に係る練習具Ｔを構成する部材を分離した状態の斜視図、図２は、練習具Ｔを組み立てた状態の一部切欠平面図、図３（ａ）は、ジョイント基板における円錐状筒体の態様を説明する斜視図、図３（ｂ）は、同平面図、図４（ａ）は、円錐状筒体の割溝に輪ゴムを装着状態の縦断面図、図４（ｂ）は、ジョイント基板の円錐状筒体にウイッグ取付具及びウイッグを取り付けた状態の拡大断面図、図５は練習具Ｔの使用状態を示す一部切欠正面図、図６（ａ）は、練習具Ｔに線条（針金）ハンガーを挿通し、ハンガーとしての利用状態を示す正面図、図６（ｂ）は、上半身模型のみに一般的なハンガーを挿通し、掛止杆に掛吊した状態を示す正面図である。【００２２】  練習具Ｔを構成する主部材の上半身模型Ｂは、図１〜図４に示すように、肩部１及び４の中心線Ｃで前後面に接合・分離可能とされ、前面に肩部１、脇腹部２と一体的に連設された胸部３と、後面に肩部４、脇腹部５と一体的に連設された背部６とで構成され、上半身模型Ｂの肩部１及び４の中央には、ウイッグＵの頸部Ｕ１を挿入するための開口部７が形成されている。８はジョイント基板で、ほぼ矩形状とした中央部には、円錐状筒体９が立設されている。１０、１１、１２及び１３は、胸部３と背部６とを固定するための輪ゴムで、１５、１６はジョイント基板８に掛止する輪ゴム、１７、１８は円錐状筒体９に装着される輪ゴムである。【００２３】  上半身模型Ｂの胸部３と背部６の接合部には、接合ピン３ａ、３ｂ、３ｃ、３ｄ、３ｅ、３ｆ、３ｈ、３ｉと接合孔６ａ、６ｂ、６ｃ、６ｄ、６ｅ、６ｆ、６ｈ、６ｉが形成され、また胸部３の肩部１と脇腹部２及び背部６の肩部４と脇腹部５には、胸部３と背部６を強固に固定するための係止具３１ａ、３１ｂ、３１ｃ、３１ｄ及び６１ａ、６１ｂ、６１ｃ、６１ｄがそれぞれの内周壁に設けられ、さらに係止具３１ａと３１ｄ間、係止具６１ａと６１ｄ間にはジョイント基板８を固定するための水平状固定溝３２ａ及び６２ａが一体的に形成されている。【００２４】  上半身模型Ｂの製作素材は、熱可塑性樹脂、例えば、ポリエチレン、ポリプロピレン、ポリスチレン、ＡＢＳ樹脂又はポリエステルで、特にＡＢＳ樹脂又はポリプロピレンが好ましく、公知技術、例えばインジェクション成型法等で一体的に成型される。図１に示すＨは、背部４及び胸部３の高さ寸法で、約２３０ｍｍ〜２５０ｍｍで、好ましくは約２４０ｍｍで、図２のＷ１は、肩部１の肩巾寸法で、約３９０ｍｍ〜４１０ｍｍで、好ましくは約４００ｍｍで、Ｗ２は、胸部３〜背部４の厚さ寸法で、約２３０ｍｍ〜２５０ｍｍで、好ましくは約２４０ｍｍで、上記、上半身模型Ｂの各部位の寸法は、成人女性の平均数値であり、人体の上半身に近似した形状としている。なお、ｄは開口部７の最大直径で、約１２０ｍｍ〜１６０ｍｍとし、ウイッグメーカーによって異なる頸部Ｕ１に適合する寸法で、上記、各部位の肉厚寸法は、約３ｍｍ〜６ｍｍである。３３及び６３は、上半身模型Ｂの底部に形成される開口である。【００２５】  ジョイント基板８は、ほぼ矩形状とし��その当接面８ａ及び８ｂは、胸部３及び背部６の内周壁に形成された水平状固定溝３２ａ及び６２ａに適合するように円弧状とされ、また該当接面８ａ及び８ｂには切欠部８１ａ、８１ｂ、８１ｃ、８１ｄが刻設され、切欠部８１ａと８１ｂには輪ゴム１５が、切欠部８１ｃと８１ｄには輪ゴム１６がそれぞれ掛止される。図３（ａ）〜図４（ａ）に示すように、円錐状筒体９は頂部が開口され、該開口から下方に深割溝９ａと９ｂが、また浅割溝９ｃと９ｄがそれぞれ隣設され、深割溝９ａと９ｂには輪ゴム１７が、浅割溝９ｃと９ｄには輪ゴム１８が嵌着されている。また図４（ｂ）に示すように、円錐状筒体９の外径は、少なくともウイッグＵの嵌合孔Ｕ２に嵌合可能な外径であると共に、ウイッグ取付具２１の支持ヘッド２２が挿着可能な内径９ｈとされている。【００２６】  図２は、練習具Ｔを組み立てた状態を示し、その組立手順を説明する。まず予め、ジョイント基板８の切欠部８１ａと８１ｂには輪ゴム１５を掛止し、同様に切欠部８１ｃと８１ｄには輪ゴム１６を掛止し、さらに深割溝９ａと９ｂに輪ゴム１７を、浅割溝９ｃと９ｄには輪ゴム１８を嵌着する。つぎにジョイント基板８の当接面８ａを背部６の固定溝６２ａに当接面８ｂを嵌入させた後、胸部の固定溝３２ａをジョイント基板８の当接面８ａに嵌入させながら、胸部３の接合ピン３ａを背部の接合孔６ａに接合し、順次、接合ピン３ｂと接合孔６ｂ、３ｃと６ｃ、３ｄと６ｄ、３ｅと６ｅ、３ｆと６ｆ、３ｈと６ｈ、３ｉと６ｉを接合し、係止具３１ａと係止具６１ａ間に輪ゴム１０を開口部７から挿入し、両者が動かないように輪ゴム１０を緊張して掛止する。同様に係止具３１ｄと係止具６１ｄ間には輪ゴム１２を、係止具３１ｂと係止具６１ｂ間には輪ゴム１１を、係止具３１ｃと係止具６１ｃ間には輪ゴム１３をそれぞれ緊張して掛止して、練習具Ｔの組立作業は終了する。【００２７】  練習具Ｔの使用態様を説明する。図５に示すように、ウイッグ取付具２１のバイス２７を台板Ｄに取り付けて強く固定した後、カット、整髪を練習する、理美容師又は見習い等の身長に適応する長さに、支持ヘッド２２の高さ位置を調節ロッド２６を介して調整する。つぎに、上半身模型Ｂを底部に形成された開口３３、６３から、ウイッグ取付具２１に降下させ、支持ヘッド２２の頂部に円錐状筒体９の下端開口部９ｈを当接させて嵌合する。続いてウイッグＵの嵌合筒Ｕ２を円錐状筒体９に上方から挿入すれば、円錐状筒体９の浅割溝９ｃ、９ｄ及び深割溝９ａ、９ｂ、輪ゴム１７と輪ゴム１８とを内方に圧接しながら嵌合され、支持ヘッド２２、ウイッグＵの嵌合筒Ｕ２及び円錐状筒体９の三者は、密着して固定される。これにより、理美容師又は見習い等による、カット、整髪等の技術習得練習は、あたかも現実における顧客のロングヘアーＬＨに接しての作業状況を現出することができる。【００２８】  図６（ａ）は、練習具Ｔをハンガーとして利用した状態を示し、練習具Ｔは不使用時には、例えば、クリーニング店等からサービス品として提供される、線条（針金）ハンガー４０のフック部４１を伸長し、これを円錐状筒体９内から挿通し、その開口から上方に突出後、伸長部分を再度、フック４１の形状に成形し、掛止４２に掛��すれば、上半身模型Ｂは、スーツ、コート等（不図示）の上衣が掛吊できる、通常のハンガーとして利用することができる。図６（ｂ）に示すように、ジョイント基板８を上半身模型Ｂに係合しないときは、一般的なハンガー５０を上半身模型Ｂの開口部７から突出し、フック５１を掛止杆５２に掛吊すれば、通常のハンガーとして利用することができる。また、カット等の研修会、講習会等があるときは、係止具３１ａと係止具６１ａ間の輪ゴム１０等他を取り外し、ジョイント基板８を固定溝３２ａ及び固定溝６２ａから取り外し、さらに接合ピン３ａ、３ｂ他を接合孔６ａ、６ｂ他から分離すれば、胸部３と背部６上半身模型Ｂは、胸部３と背部６に容易に分離でき、かつジョイント基板８を含めても軽量であるから、理美容のカット講習会、研修会等のイベント携行にも便利である。
【図面の簡単な説明】
【００２９】
【図１】は、本発明に係る、練習具Ｔを構成する部材を分離した状態の斜視である。
【図２】は、練習具Ｔを組み立てた状態の一部切欠平面図である。
【図３】（ａ）は、ジョイント基板における円錐状筒体の態様を説明する斜視図である。
【図３】（ｂ）は、同平面図である。
【図４】（ａ）は、円錐状筒体の割溝に輪ゴムを装着状態の縦断面図である。
【図４】（ｂ）は、ジョイント基板の円錐状筒体にウイッグ取付具及びウイッグを取り付けた状態の拡大断面図である。
【図５】は、練習具Ｔの使用状態を示す一部切欠正面図である。
【図６】（ａ）は、練習具Ｔに線条（針金）ハンガーを挿通し、通常のハンガーとしての利用状態を示す正面図である。
【図６】（ｂ）は、上半身模型のみに一般的なハンガーを挿通し、掛止杆に掛吊状態を示す正面図である。
【符号の説明】
【００３０】Ｔ                                練習具
Ｂ                                上半身模型
Ｕ                                ウイッグ
Ｕ１                              頸部
Ｕ２                              嵌合筒
２１                              ウイッグ取付具
２２                              支持ロッド
Ｃ                                中心線
１、４                            肩部
２、５                            脇腹部
３                                胸部
４                                背部
６                                背部
７                                開口部
８                                ジョイント基板
９                                円錐状筒体
１０、１１、１２、１３            輪ゴム
１５、１６、１７、１８            輪ゴム
３ａ、３ｂ、３ｃ、３ｄ            接合ピン
３ｅ、３ｆ、３ｈ、３ｉ            接合ピン
６ａ、６ｂ、６ｃ、６ｄ            接合孔
６ｅ、６ｆ、６ｈ、６ｉ            接合孔
３１ａ、３１ｂ、３１ｃ、３１ｄ    係止具
６１ａ、６１ｂ、６１ｃ、６１ｄ    係止具
３２ａ、６２ａ                    水平状固定溝
９ａ、９ｂ、９ｃ、９ｄ            割溝
９ｈ                              開口
【図１】
2008006240.tif 000003
【図２】
2008006240.tif 000004
【図３】
2008006240.tif 000005
【図４】
2008006240.tif 000006
【図５】
2008006240.tif 000007
【図６】
2008006240.tif 000008